【手続補正書】
【提出日】平成16年12月10日(2004.12.10)
【手続補正１】
【補正対象書類名】明細書
【補正対象項目名】特許請求の範囲
【補正方法】変更
【補正の内容】
【特許請求の範囲】
【請求項１】
図柄表示装置に複数の識別図柄を変動状態および変動停止状態で順に表示し、複数の識別図柄の変動停止時の態様に基づいて大当りの抽選結果を報知する構成のものにおいて、
パチンコ球が特別図柄始動口に入賞することに基いて変動パターンカウンタの計測値を取得する手段と、
複数の識別図柄を大当りの組合せで停止表示する大当り・停止順序が最終の識別図柄の変動停止前には大当りの組合せになる可能生が存在し且つ最終の識別図柄が変動停止したときには大当りの組合せにならない外れリーチ・停止順序が最終の識別図柄が変動停止する前に大当りの組合せになる可能性が消滅する完全外れをパチンコ球が前記特別図柄始動口に入賞することに基いて判定する手段と、
変動パターンカウンタの取得結果および大当り・外れリーチ・完全外れの判定結果に基いて変動パターンを設定する手段と、
複数の識別図柄の組合せが決まる様子を演出する動画面を表示するための演出パターンを変動パターンの設定結果に基いて設定する手段と、
前記図柄表示装置に演出パターンの設定結果に応じた動画面を表示する手段と、
前記図柄表示装置の動画面の今後の態様を予告する予告パターンを動画面の中で表示する手段とを備え、
予告パターンを表示する手段は、前記図柄表示装置の動画面の中で複数の識別図柄が変動開始してから所定の期間内に設定された３以上の表示タイミングのうち２以上の表示タイミングで同一系統の予告パターンを表示する制御を行うことを特徴とする遊技機。
【請求項２】
予告パターンを表示する手段は、予告パターンを表示することが判定されたときには同一系統の予告パターンを３以上の表示タイミングのうち特定の表示タイミングで確定的に表示し且つ残りの表示タイミングで選択的に表示する制御を行うことを特徴とする請求項１記載の遊技機。
【請求項３】
同一系統の予告パターンの表示タイミングを可変する手段を備えたことを特徴とする請求項１〜２のいずれかに記載の遊技機。
【請求項４】
図柄表示装置の動画面が予告パターンの予告内容通りになる確率が同一系統の予告パターンの表示回数に応じて設定されていることを特徴とする請求項１〜３のいずれかに記載の遊技機。
【手続補正２】
【補正対象書類名】明細書
【補正対象項目名】０００３
【補正方法】変更
【補正の内容】
【０００３】
【課題を解決するための手段】
請求項１記載の遊技機は、図柄表示装置に複数の識別図柄を変動状態および変動停止状態で順に表示し、複数の識別図柄の変動停止時の態様に基づいて大当りの抽選結果を報知する構成のものにおいて、パチンコ球が特別図柄始動口に入賞することに基いて変動パターンカウンタの計測値を取得する手段と、複数の識別図柄を大当りの組合せで停止表示する大当り・停止順序が最終の識別図柄の変動停止前には大当りの組合せになる可能生が存在し且つ最終の識別図柄が変動停止したときには大当りの組合せにならない外れリーチ・停止順序が最終の識別図柄が変動停止する前に大当りの組合せになる可能性が消滅する完全外れをパチンコ球が前記特別図柄始動口に入賞することに基いて判定する手段と、変動パターンカウンタの取得結果および大当り・外れリーチ・完全外れの判定結果に基いて変動パターンを設定する手段と、複数の識別図柄の組合せが決まる様子を演出する動画面を表示するための演出パターンを変動パターンの設定結果に基いて設定する手段と、前記図柄表示装置に演出パターンの設定結果に応じた動画面を表示する手段と、前記図柄表示装置の動画面の今後の態様を予告する予告パターンを動画面の中で表示する手段とを備え、予告パターンを表示する手段が前記図柄表示装置の動画面の中で複数の識別図柄が変動開始してから所定の期間内に設定された３以上の表示タイミングのうち２以上の表示タイミングで同一系統の予告パターンを表示する制御を行うところに特徴を有する。
請求項１記載の手段によれば、識別図柄が変動開始してから所定の期間内に同一系統の予告パターンが複数回出現する。このため、予告パターンが某タイミングで出現しなかったときでも予告パターンの出現を期待する楽しみが残るので、画面を見詰める楽しさが継続する。尚、同一系統の予告パターンとはリーチに関する予告パターン、大当りに関する予告パターン、特典（大当りに付随して得られる確率変動や図柄変動時間の短縮等の特典）等の同一の遊技態様に関するものを称する。
【手続補正３】
【補正対象書類名】明細書
【補正対象項目名】０００４
【補正方法】変更
【補正の内容】
【０００４】
請求項２記載の遊技機は、予告パターンを表示することが判定されたときには予告パターンを表示する手段が同一系統の予告パターンを３以上の表示タイミングのうち特定の表示タイミングで確定的に表示し且つ残りの表示タイミングで選択的に表示する制御を行うところに特徴を有する。
請求項３記載の遊技機は、同一系統の予告パターンの表示タイミングを可変する手段を備えたところに特徴を有する。
【手続補正４】
【補正対象書類名】明細書
【補正対象項目名】０００５
【補正方法】変更
【補正の内容】
【０００５】
請求項４記載の遊技機は、図柄表示装置の動画面が予告パターンの予告内容通りになる確率が同一系統の予告パターンの表示回数に応じて設定されているところに特徴を有する。
請求項４記載の手段によれば、予告パターンの出現回数によって期待感が変わるので、遊技のおもしろさが高まる。特に予告パターンの出現回数が多い程に確率を高めるときには予告パターンの出現を期待して画面を見詰める楽しさが後まで継続する利点がある。
【手続補正５】
【補正対象書類名】明細書
【補正対象項目名】０００６
【補正方法】変更
【補正の内容】
【０００６】
その他発明１は、予告パターンを表示する手段が同一系統の予告パターンとしてリーチに関するものを表示するところに特徴を有する。
その他発明２は、予告パターンを表示する手段が同一系統の予告パターンとして大当りに関するものを表示するところに特徴を有する。
その他発明３は、予告パターンを表示する手段が複数の識別図柄が変動開始してから所定の期間内に同一系統で且つ同一内容の予告パターンを複数のタイミングで表示するところに特徴を有する。この場合、１回の演出パターンの中で完全に同一な予告パターンが繰返し出現するので、画面を見詰める楽しさが高まる。
その他発明４は、予告パターンを表示する手段が複数の識別図柄が変動開始してから所定の期間内に同一系統であって内容が異なる複数種の予告パターンを複数のタイミングで表示するところに特徴を有する。この場合、例えば１回目はリーチの発生を予告し、２回目はリーチがどのような演出パターンで発生するかを予告できるので、複数種の予告パターンを特定の１個のタイミングで選択的に表示することに基づいてリーチの発生と演出パターンの種類とを予告する場合に比べて予告内容が分かり易くなる。
【手続補正６】
【補正対象書類名】明細書
【補正対象項目名】０００７
【補正方法】削除
【補正の内容】
【手続補正７】
【補正対象書類名】明細書
【補正対象項目名】００６６
【補正方法】変更
【補正の内容】
【００６６】
メイン制御装置２２のＲＯＭ２４には完全外れ用の図柄テーブルが記録されている。この図柄テーブルは図柄カウンタ値Ｎｚと完全外れ図柄との対応関係を示すものであり、ＣＰＵ２３は完全外れを判定したときにはステップＳ５７へ移行し、完全外れ用の図柄テーブルからデータ記録部（１）の図柄カウンタ値Ｎｚに応じた完全外れ図柄を取得する。この完全外れ図柄は左列，中列，右列の３個の数字図柄ＺＳの組合せを称するものであり、完全外れ図柄の左列および右列は「１」〜「１２」のうちの異なる値に設定されている。